(57)【特許請求の範囲】
【請求項１】
ログアウト時の動作モードとして２以上のモードを有し、
ユーザからログアウトの要求を受け付けると、当該ログアウト時の動作モードを当該ユーザに対応付けて記憶し、
前記ログアウト後にログインの要求を受け付けると、ログイン直後にユーザが操作する画面として、当該ログインを行ったユーザの前記ログアウト時の動作モードに基づいて、
当該動作モードが一の動作モードである場合には、患者の氏名、病院名、及び患者識別情報を表示しながらユーザが患者を特定するための表示をし、
当該動作モードが他の動作モードである場合には、ユーザによる特定によらず、当該ユーザからログアウトの要求を受け付けた際に表示されていたウィンドウに関する情報に基づき特定された患者に関連する処方薬、ヒアリング内容、及び来院履歴の情報を表示する、
セッション制御システム。
【請求項２】
前記他の動作モードは、特定の入力キーの押下により行われる、ログアウトの動作モードである、
請求項１に記載のセッション制御システム。
【請求項３】
業務の進捗状況に応じて、前記ウィンドウに関する情報に更新する、
請求項１又は請求項２に記載のセッション制御システム。
【請求項４】
前記ログアウトの時刻のデータを記憶させ、
前記記憶された前記ログアウトの時刻のデータを取得し、
前記取得された前記ログアウトの時刻から所定時間内である場合、前記取得された前記ウィンドウに関する情報に基づいて、表示部にウィンドウを表示させる、
請求項１乃至請求項３のいずれか１項に記載のセッション制御システム。
【請求項５】
セッション制御システムが実行するセッション制御方法において、
ログアウト時の動作モードとして２以上のモードを有し、
ユーザからログアウトの要求を受け付けると、当該ログアウト時の動作モードを当該ユーザに対応付けて記憶するステップと、
前記ログアウト後にログインの要求を受け付けると、ログイン直後にユーザが操作する画面として、当該ログインを行ったユーザの前記ログアウト時の動作モードに基づいて、
当該動作モードが一の動作モードである場合には、患者の氏名の情報、病院名、及び患者識別情報を表示させながらユーザが患者を特定するための表示をするステップと、
当該動作モードが他の動作モードである場合には、ユーザによる特定によらず、当該ユーザからログアウトの要求を受け付けた際に表示されていたウィンドウに関する情報に基づき特定された患者に関連する処方薬、ヒアリング内容、及び来院履歴の情報を表示するステップと、
を含むセッション制御方法。
【請求項６】
ログアウト時の動作モードとして２以上のモードを有し、
ユーザからログアウトの要求を受け付けると、当該ログアウト時の動作モードを当該ユーザに対応付けて記憶するステップと、
前記ログアウト後にログインの要求を受け付けると、ログイン直後にユーザが操作する画面として、当該ログインを行ったユーザの前記ログアウト時の動作モードに基づいて、
当該動作モードが一の動作モードである場合には、患者の氏名の情報、病院名、及び患者識別情報を表示させながらユーザが患者を特定するための表示をするステップと、
当該動作モードが他の動作モードである場合には、ユーザによる特定によらず、当該ユーザからログアウトの要求を受け付けた際に表示されていたウィンドウに関する情報に基づき特定された患者に関連する処方薬、ヒアリング内容、及び来院履歴の情報を表示するステップと、
をコンピュータに実行させる、プログラム。
【発明の詳細な説明】
【技術分野】
【０００１】
本発明は、ログアウトをする直前に表示されていた画面を、ログイン後に自動的に表示させることができるセッション制御システム及びセッション制御方法に関する。
【背景技術】
【０００２】
薬局における薬剤提供業務は多数の作業により構成されるため、これら多数の作業を一人の担当者が担当した場合には、処方箋を受け付けてから薬剤を提供するまでに時間がかかってしまい、患者を長時間待たせてしまう。そこで、薬局における薬剤提供業務においても分業が進められ、多数の作業が複数の担当者に分担されて、各担当者が分担された作業を行っている。複数の担当者で作業を分担した場合、個々の担当者が他の担当者とは独立して作業を行うことから、薬剤提供業務の全体の進捗状況を適切に把握するシステムが望まれる。
【０００３】
例えば、薬局において上記の薬剤提供業務を支援するために、レセプト（診療報酬明細書）の作成を支援するレセコンと呼ばれるコンピュータと薬歴等の患者の情報を電子的に管理するシステムとを統合した薬歴管理システムが利用されている。
そして、上記の薬歴管理システムにおいて、医師や薬剤師は、ログイン後に担当する患者のＩＤ（Ｉｄｅｎｔｉｆｉｃａｔｉｏｎ）を入力することにより患者を特定し、特定した患者に関する情報を表示させることが一般的であった（例えば、特許文献１）。
【先行技術文献】
【特許文献】
【０００４】
【特許文献１】特開２００４−２８０３２７号公報
【発明の概要】
【発明が解決しようとする課題】
【０００５】
ところで、薬局内での薬剤提供業務において、一人の薬剤師がある作業場所で所定の作業を行った後に、これと異なる作業場所で別の作業を続けて行うことが多い。この場合、薬剤師は、最初の作業場所で担当する患者の情報を表示させているディスプレイを有する端末をログアウトし、薬局内の次の作業場所に設置された端末にログインして作業を行うことがある。このような場合に、上記の薬歴管理システムでは、ログインの都度、担当する患者のＩＤを入力する等の操作をして、担当している患者の情報を呼び出す必要がある。担当する患者のＩＤを逐一指定して、患者の情報を呼び出す作業は、煩雑であるため手間と時間がかかり、薬剤提供業務の作業効率を低下させ、さらには患者を長時間待たせてしまう要因となる。このため、一人の薬剤師が薬局内の複数の作業場所に設置された端末を用いながら作業をする場合、円滑に作業を進めることが望まれていた。
【０００６】
本発明は、このような要望に鑑みてなされたものであり、ログアウトをする直前に表示されていた画面を、ログイン後に自動的に表示させることを目的とする。
【課題を解決するための手段】
【０００７】
（１）  ログアウト時の動作モードとして２以上のモードを有し、ユーザからログアウトの要求を受け付けると、当該ログアウト時の動作モードを当該ユーザに対応付けて記憶し、前記ログアウト後にログインの要求を受け付けると、当該ログインを行ったユーザの前記ログアウト時の動作モードに基づいて、当該動作モードが一の動作モードである場合には、ユーザにより特定された患者に関連する情報を表示し、当該動作モードが他の動作モードである場合には、ユーザによる特定によらず、当該ユーザからログアウトの要求を受け付けた際に表示されていたウィンドウに関する情報に基づき特定された患者に関連する情報を表示する、
セッション制御システム。
【０００８】
（１）のセッション制御システムによれば、ログアウトモード及びセッション情報を管理者装置３のセッション情報記憶部５０３に記憶させておく。セッション情報取得部３０７は、ログイン時に、ログイン要求をしたユーザの前回のセッションのセッション情報を取得する。表示制御部３０９は、当該セッション情報に基づき前回のセッションのログアウト直前の画面を表示部４０に表示するよう制御する。このため、ユーザがログアウトをした担当者装置２ａとは異なる担当者装置２ｂにログインした時に、ログアウト直前にユーザが作業をしていた画面を、表示部４０に自動的に表示させることができる。このため、担当者は、担当する患者の患者ＩＤを指定して前回のセッションにおいて閲覧していた画面を再度呼び出すという煩雑な作業をすることなく、作業を効率的に進めることができる。
【０００９】
（２）  前記他の動作モードは、特定の入力キーの押下により行われる、ログアウトの動作モードである、（１）に記載のセッション制御システム。
【００１０】
（２）のセッション制御システムによれば、記憶制御部３０４は、ログイン直後にセッション情報データセット５０３ａのウィンドウ内の表示内容を最新の内容に更新するため、ログアウト後に終了した作業進捗の内容が反映され、ユーザは最新の情報に基づいて作業を進めることができる。記憶制御部３０４は、ユーザの担当する患者の担当作業が全て終了している場合には、当該患者の患者ＩＤ、ウィンドウの状態情報、ウィンドウ内の表示内容のデータをセッション情報データセット５０３ａから削除する。このため、ユーザがログインした時に、ユーザが作業を開始するにあたり不要な情報（例えば、ユーザである薬剤師Ａがログアウト時に担当していた患者であって、すでに薬剤師Ａの作業は終了している患者の情報）を表示させることを回避することができる。
【００１１】
（３）  業務の進捗状況に応じて、前記ウィンドウに関する情報を最新の情報に更新する、（１）又は（２）に記載のセッション制御システム。
【００１２】
（３）のセッション制御システムによれば、ユーザは、特定の入力キーを押下する操作をするだけで、ログアウト要求をするができるため、煩雑な操作が不要であり、薬剤提供業務を効率的に進めることができる。
そして、特定の入力キーを押下する操作によるログアウトをした後にログインした場合、ログアウト直前にユーザが作業をしていた画面を、表示部４０に自動的に表示させることができる。このため、担当者は、担当する患者の患者ＩＤを指定して前回のセッションにおいて閲覧していた画面を再度呼び出すという煩雑な作業をすることなく、作業を効率的に進めることができる。
【００１３】
（４）  前記ログアウトの時刻のデータを記憶させ、前記記憶された前記ログアウトの時刻のデータを取得し、前記取得された前記ログアウトの時刻から所定時間内である場合、前記取得された前記ウィンドウに関する情報に基づいて、表示部にウィンドウを表示させる、（１）乃至（３）のいずれか１つに記載のセッション制御システム。
【００１４】
（４）のセッション制御システム１によれば、ログイン制御部３０６は、前回のログアウトがＦ８モードであて、かつ、前回のログアウトから所定時間内にログインされているか否かを判定する。そして、所定時間経過している場合には、通常のログインと同様の処理が実行される。このため、所定時間内にログインをして作業を続けようとしてＦ８モードでログアウトをしたユーザであっても、その後の事情の変化により、作業を他の担当者に任せて休憩や帰宅した場合等、所定時間経過後に再度ログインした際には、不必要となった前回のセッションの画面を表示させないことができる。つまり、所定時間経過後のログイン時は、通常のログイン時と同様の画面が起動され、不要となった前回のセッションの画面を自動的に表示させることはしないため、作業の効率化を図ることができる。
【発明の効果】
【００１５】
本発明によれば、ログアウトをする直前に表示されていた画面を、ログイン後に自動的に表示させることができる。
【図面の簡単な説明】
【００１６】
【図１】本発明のセッション制御システムに係る一実施形態のネットワーク構成を示すブロック図である。
【図２】薬剤提供業務の概要を示す図である。
【図３】図１のセッション制御システムの機能的構成のうち、セッション制御を実現するための機能的構成を示す機能ブロック図である。
【図４】担当者装置の表示部に表示される画面の一例を示す模式図である。
【図５】図３のセッション制御システムにおいて使用されるセッション情報データセットの一例を示す模式図である
【図６】図３のセッション制御システムにおいて使用されるデータファイルの内容の一例を示す模式図である
【図７】図３のセッション制御システムによるセッション制御処理結果の概要を示す模式図である。
【図８】図３のセッション制御システムによるセッション制御処理結果の概要を示す模式図である。
【図９】図３のセッション制御システムによるセッション制御処理結果の概要を示す模式図である。
【図１０】本発明のセッション制御システムの実行するセッション制御処理の流れの一部（開始からログアウトまで）を示すフローチャートである。
【図１１】本発明のセッション制御システムの実行するセッション制御処理の流れの一部（ログインから終了まで）を示すフローチャートである。
【図１２】図１のセッション制御システムの機能的構成のうち、セッション制御を実現するための機能的構成を示す機能ブロック図であって、図３とは異なる例を示す機能ブロック図である。
【図１３】図１２のセッション制御システムによるセッション制御処理結果の概要を示す模式図である。
【発明を実施するための形態】
【００１７】
以下、本発明の実施形態について図面を適宜参照しつつ説明する。
【００１８】
［第１実施形態］
図１は、本発明のセッション制御システムに係る一実施形態のネットワーク構成を示すブロック図である。
［セッション制御システム１の概要］
初めに、図１を参照して、セッション制御システム１の概要について説明する。
セッション制御システム１は、担当者装置２ａ、・・・２ｎ、管理者装置３を含んで構成され、本発明に係るセッション制御処理を実行するようになっている。このセッション制御処理とは、ログイン直後に、前回のログアウト要求の入力操作の違いに応じた画面を表示部に表示させることをいう。即ち、本実施形態におけるセッション制御処理は、前回のログアウト要求の入力操作の違いに応じて、ログイン直後にログアウトをする直前に表示されていたウィンドウ画面を自動的に表示させるか、又は、患者受付画面を表示させる処理をいう。
ここで、セッションとは、同一ユーザによるログインからログアウトまでの一連の操作や通信状態をいう。なお、本実施形態において、セッションとは、特に断りのない限り、セッション制御システム１が提供するアプリケーションサービスへログインした時に開始されるものとし、ＯＳ（Ｏｐｅｒａｔｉｎｇ  Ｓｙｓｔｅｍ）に対してログインすることとは関係がないものとする。
【００１９】
担当者装置２ａ、・・・２ｎは、薬剤提供業務を構成する各作業の担当者、例えば、薬剤師等により用いられる端末装置である。
ここで、図２（１）を参照して、薬剤提供業務は、窓口において患者から処方箋を受け付けた後に、処方箋に従い薬剤を調剤し、調剤が適切であると最終監査において認められた場合に、窓口において患者に当該薬剤を提供するといった一連の流れにより構成される。このような薬剤提供業務は、一例として図２（２）に示す各作業、即ち「受付」「薬歴確認」「処方監査」「患者情報収集」「調剤設計」「服薬に関する説明」「調剤決定」「調剤」「最終監査」「薬剤交付会計」により構成することができる。これら各作業は、互いに独立して進行できるものもあり、本実施形態では、これら各作業を複数の担当者により分業することとしている。例えば、薬剤提供業務を構成する各作業のうち、「処方監査」「患者情報収集」「調剤設計」を薬剤師Ａが担当し、「受付」「薬歴確認」「薬剤交付会計」を薬剤師Ｂが担当し、「服薬に関する説明」「調剤決定」「調剤」を薬剤師Ｃが担当し、「最終監査」を薬剤師Ｄが担当することとしている。
【００２０】
このような本実施形態では、例えば、薬剤師Ａは、担当者装置２ａ、・・・２ｎのいずれの端末からもログインをしてセッション制御システム１を利用することができる。担当者装置２ａ、・・・２ｎの構成は、基本的に同一であるため、以下単に「担当者装置２」と呼ぶことがある。
【００２１】
担当者装置２は、保険調剤薬局において薬剤提供業務を多面的に支援することを目的としたものであり、各種演算処理を行う制御部や各種情報を記憶する記憶部に加え、マウス、キーボード、タッチパネル等により実現される入力部、及び、ＬＣＤ（Ｌｉｑｕｉｄ  Ｃｒｙｓｔａｌ  Ｄｉｓｐｌａｙ：液晶ディスプレイ）等のディスプレイにより実現される表示部を備えた汎用パーソナルコンピュータである。このような担当者装置２は、各種プログラムがインストールされており、制御部がこれらプログラムに従い動作することで、レセコン機能や薬歴管理機能の処理に加え、本発明に特有のセッション制御処理を実行する。
セッション制御システム１においては、複数の担当者装置２を設置することが可能である。
【００２２】
管理者装置３は、各担当者を管理する管理者により用いられ、担当者装置２の機能の拡張、変更、制限等の管理者権限を有する端末装置であり、担当者装置２と同様に制御部や各種情報を記憶する記憶部に加え、マウス、キーボード、タッチパネル等により実現される入力部、及び、ＬＣＤ（Ｌｉｑｕｉｄ  Ｃｒｙｓｔａｌ  Ｄｉｓｐｌａｙ：液晶ディスプレイ）等のディスプレイにより実現される表示部を備えた汎用パーソナルコンピュータである。管理者装置３は、例えば、管理者の指示に基づきユーザＩＤやパスワードの設定（後述の認証テーブルの管理）を行う。
【００２３】
これら担当者装置２及び管理者装置３は、所定のネットワーク回線により接続され、互いに協働して患者に対する薬剤提供業務を支援する。なお、担当者装置２及び管理者装置３は、同一の端末装置であってもよい。即ち、一の端末装置に対して担当者装置２の機能及び管理者装置３の機能を持たせることとしてもよい。本実施形態におけるユーザは、薬剤提供業務を行う薬剤師等であり、担当者装置２を用いて薬剤提供業務を行う。
【００２４】
図３は、図１のセッション制御システムの機能的構成のうち、セッション制御を実現するための機能的構成を示す機能ブロック図である。
セッション制御システム１の担当者装置２は、通信Ｉ／Ｆ１０と、入力部２０と、制御部３０と、表示部４０と、記憶部５０と、を備えている。
【００２５】
通信Ｉ／Ｆ１０は、ネットワークを介して、管理者装置３から送信される各種情報の信号を受信し、管理者装置３へ各種情報の信号を送信する。
【００２６】
入力部２０は、マウスやキーボード等に対してなされたユーザの指示操作に応じて、各種情報を入力する。マウスやキーボードを用いたユーザの指示操作の具体例については、後述する。
【００２７】
制御部３０は、受付部３０１と、ログアウト制御部３０２と、セッション情報生成部３０３と、記憶制御部３０４と、認証部３０５と、ログイン制御部３０６と、セッション情報取得部３０７と、表示制御部３０８と、を有しており、通信Ｉ／Ｆ１０を介して、ネットワーク上の管理者装置３との間で、各種情報の信号の送受信の制御をしたり、セッション制御処理を実行するための各種演算処理を行う。受付部３０１と、ログアウト制御部３０２と、セッション情報生成部３０３と、記憶制御部３０４と、認証部３０５と、ログイン制御部３０６と、セッション情報取得部３０７と、表示制御部３０８の各機能の詳細については後述する。
【００２８】
表示部４０は、ディスプレイに各種画像を表示する。本実施形態では、表示部４０には、セッション制御システムのアプリケーションサービスが提供する各種ウィンドウが表示される。ここで、ウィンドウとは、ディスプレイに表示される領域及び当該領域内に表示される画像や文書から構成された画面をいう。
【００２９】
記憶部５０は、ログアウトモード記憶部５０１と、認証テーブル記憶部５０２と、セッション情報記憶部５０３と、作業ログ記憶部５０４と、を備えている。ログアウトモード記憶部５０１と、認証テーブル記憶部５０２と、セッション情報記憶部５０３と、作業ログ記憶部５０４の詳細については、後述する。
【００３０】
ここで、上述した担当者装置２の制御部３０を詳細に説明する。
【００３１】
受付部３０１は、ユーザの入力操作により、入力部２０から、ログイン要求及びログアウト要求を受け付ける。
本実施形態では、ユーザは、２種の方法でログアウトすることができる。
１つは、ログアウト要求の受付画面からログアウトの要求を行うことによりログアウトをするものである。ログアウト要求の受付画面は、例えば、図４（１）に示すウィンドウ４０１であって、ユーザのマウス操作により画面上の「はい」ボタンが押下されるとログアウトが実行される。
他の１つは、ログアウト要求のための特定のキー、例えば、入力部２０のキーボードにおける「Ｆ８」キーを押下することにより、ログアウトするものである。以下、ログアウトの方法に応じた制御部３０の動作モードを「ログアウトモード」と呼び、ログアウト要求の受付画面から行われるログアウトモードを「通常モード」、「Ｆ８」キーの押下によるログアウトモードを「Ｆ８モード」と呼ぶ。本実施形態においては、「通常モード」の場合、ログイン後は、表示させたい患者を特定するための受付画面が表示され、ユーザは患者をマウスのクリック等により特定する煩雑な操作をする必要がある。一方、「Ｆ８モード」の場合、ログイン後は、前回セッションのログアウト直前に表示部４０に表示されていたウィンドウが表示される。したがって、ユーザは、「Ｆ８」キーを押下するという簡単な操作だけでログアウトをすることができるため、ログアウトとログインを繰り返しながら連続して作業を行う際に、効率的に作業を行うことができる。
【００３２】
受付部３０１は、ログアウト要求を受け付けると、ログアウト制御部３０２にログアウトモード及びログアウト要求を受け付けた時刻（以下、「ログアウト時刻」と呼ぶ）のデータを供給する。
また、ログイン要求は、ユーザＩＤ及びパスワードのデータを伴う要求であってもよい。本実施形態では、受付部３０１は、ログイン要求を受け付けると、認証部３０５に、ユーザＩＤとパスワードのデータを供給する。
【００３３】
ログアウト制御部３０２は、受付部３０１により受け付けられたログアウトモード及びログアウト時刻のデータを受信すると、ログアウトの処理を実行する前に、ログアウトモード及びログアウト時刻のデータを記憶制御部３０４に供給する。
また、ログアウト制御部３０２は、セッション情報生成部３０３に対し、ログイン要求を行ったユーザに関するセッション情報を生成するよう通知する。
さらに、ログアウト制御部３０２は、記憶制御部３０４から、ログアウトモード及びログアウト時刻の記憶処理及びセッション情報データセット５０３ａへのセッション情報の記憶処理の完了の信号を受信した後、ログアウトの処理を実行する。ログアウト制御部３０２は、これらの完了の信号を受信するまで、ログアウト処理を実行せず待機する。
【００３４】
セッション情報生成部３０３は、記憶部５０に記憶されているウィンドウに関する各種情報を収集し、ログアウト制御部３０２からログアウト要求をしているユーザに関するセッション情報を生成する。セッション情報生成部３０３は、生成したセッション情報を記憶制御部３０４に供給する。ここで、セッション情報とは、ディスプレイに表示された画面を構成するために必要な情報である。セッション情報の詳細については、後述する。
【００３５】
記憶制御部３０４は、ログアウト制御部３０２から、ログアウトモード及びログアウト時刻のデータの供給を受けると、ログアウトモード記憶部５０１に、ログアウトを要求したユーザのユーザＩＤに対応付けてログアウトモード及びログアウト時刻を記憶させる。記憶制御部３０４は、ログアウトモード及びログアウト時刻を記憶させる処理が完了すると、ログアウト制御部３０２へログアウトモードの記憶処理の完了を通知する。
また、記憶制御部３０４は、セッション情報生成部３０３により、生成されたセッション情報を記憶部５０のセッション情報記憶部５０３に記憶させる。セッション情報記憶部５０３へセッション情報を記憶させる処理が完了すると、記憶制御部３０４は、ログアウト制御部３０２へセッション情報の記憶処理の完了を通知する。
さらに、記憶制御部３０４は、ログイン制御部３０６から前回のセッションにおけるログアウトモードがＦ８モードであったことの通知を受けると、ログインを要求するユーザが担当する患者の作業の進捗情報を作業ログ記憶部５０４から取得して、セッション情報の一部を新しいセッション情報に更新する処理と、表示することが不要となった情報がセッション情報に含まれている場合には不要となった情報をセッション情報から削除する処理を行う。以下、「更新処理」といった場合、セッション情報の一部を新しいセッション情報に更新する処理だけでなく、不要となった情報をセッション情報から削除する処理を含むものとする。更新処理の詳細は、後述する。
【００３６】
認証部３０５は、受付部３０１から、ユーザＩＤとパスワードを伴うログイン要求の信号を受信すると、ログイン要求を行うユーザが正当なユーザであるか否かを判定する。ここで、本実施形態においては、ログインとは、セッション制御システム１が提供するアプリケーションサービスの利用を開始する際の認証のために行う操作であって、ＯＳの利用を開始する際の認証のために行う操作とは関係のないものとする。
ログイン要求は、例えば、図４（２）に示すようにセッション制御システムのアプリケーションが提供するログイン用のウィンドウ４０２から、ユーザＩＤとパスワードを入力することにより実行される。
担当者装置２からユーザＩＤとパスワードが入力されたログイン要求がなされると、認証部３０５は、認証テーブル記憶部５０２のデータを参照して、ログイン要求されているユーザＩＤ及びパスワードと、認証テーブル記憶部５０２に格納されたユーザＩＤ及びパスワードとが一致するか否かを判定する。認証部３０５は、ユーザＩＤ及びパスワードが一致したと判定した場合、ログイン要求を行ったユーザを、正当なユーザとして認証する。そして、認証部３０５は、当該ユーザに対しログインを許可し、ログイン制御部３０６に通知する。
一方、ログイン要求されているユーザＩＤが認証テーブル記憶部５０２に登録されていない場合、又は、ログイン要求されているユーザＩＤが認証テーブルに登録されているが、ユーザＩＤに対応するパスワードがログイン要求のパスワードと一致しない場合、認証部３０５は、ログインの認証は失敗であることを、表示制御部３０８に通知する。
【００３７】
ログイン制御部３０６は、認証部３０５から認証が成功したことの通知を受けると、ログアウトモード記憶部５０１からログアウトモード及びログアウト時刻のデータを取得し、ログアウト時から所定時間内のログインであって、かつＦ８モードのログアウトであるか否かを判定する。即ち、ログイン制御部３０６は、現在時刻のデータとログアウトモード記憶部５０１から取得したログアウト時刻のデータとを比較し、両時刻の差の時間が所定時間内であって、かつログアウトモード記憶部５０１から取得したログアウトモードがＦ８モードであるか否かを判定する。所定時間内のログインであって、かつＦ８モードのログアウトであると判定した場合、Ｆ８モードであることを記憶制御部３０４に通知する。Ｆ８モードでない場合又はＦ８モードであっても所定時間内のログインでない場合、ログイン制御部３０６は、記憶制御部３０４に通知しない。
ログイン制御部３０６は、記憶制御部３０４からセッション情報記憶部５０３へのセッション情報の更新処理の完了の信号を受信した場合、セッション情報取得部３０７に通知する。ログイン制御部３０６は、当該完了の信号を受信するまで、待機する。
【００３８】
セッション情報取得部３０７は、ログイン制御部３０６から通知を受けると、記憶部５０のセッション情報記憶部５０３に格納されたセッション情報データセット５０３ａのデータを取得する。セッション情報データセット５０３ａは、ユーザＩＤに関連付けられているため、セッション情報取得部３０７は、認証部３０５からログイン要求しているユーザのユーザＩＤを取得することにより、セッション情報記憶部５０３に格納されたユーザ固有のセッション情報データセット５０３ａのデータを取得することができる。
セッション情報取得部３０７は、取得したセッション情報をログイン制御部３０６に供給する。
【００３９】
表示制御部３０８は、ログイン制御部３０６からセッション情報を受け取ると、当該セッション情報に基づいた画像を表示部４０に表示させる。
【００４０】
次に、ログアウトモード記憶部５０１について説明する。ログアウトモード記憶部５０１は、ログアウトモード及びログアウト時刻を記憶する。ログアウトモード記憶部５０１には、例えば、図６（１）に示すように、ログアウトを要求したユーザのユーザＩＤに対応させて、通常モードの場合は「Ｎｏｒｍａｌ」、Ｆ８モードの場合は「Ｆ８」と記憶される。そして、ログアウトモードとともに、ログアウト時刻が記憶される。
【００４１】
認証テーブル記憶部５０２は、ログインの認証に必要な情報を記憶する。認証テーブル記憶部５０２には、例えば、図６（２）に示すように、ユーザＩＤとそれに関連付けられたパスワードが記憶されている。
【００４２】
セッション情報記憶部５０３は、ユーザ毎のセッション情報を記憶する。具体的には、セッション情報データセット５０３ａ、・・・、５０３ｎから構成される。例えば、セッション情報データセット５０３ａにはユーザＡのセッション情報が、セッション情報データセット５０３ｎにはユーザＮのセッション情報が格納される。
【００４３】
ここで、セッション情報データセット５０３ａの構成について説明する。セッション情報データセット５０３ａは、例えば、図５に示すように、各データがツリー構造をなして関連付けられている。ツリー構造の根元部分には、ユーザのＩＤが格納されており、ユーザのＩＤには、当該ユーザの担当する患者のＩＤが関連付けられている。ユーザＡのＩＤには、ユーザＡの担当する患者Ａ、Ｂ、ＣのＩＤが関連付けられている。
【００４４】
そして、患者のＩＤには、当該患者の情報を閲覧するためのウィンドウＷ１、・・・、Ｗｎの状態データが関連付けられて格納されている。ここで、患者の情報を閲覧するためのウィンドウとは、例えば、患者Ａの薬歴を表示するウィンドウや、患者Ａの処方内容を表示するウィンドウのように患者個人に係る情報を表示するウィンドウである。「ウィンドウの状態」とは、ウィンドウが画面上で開かれているか否か、ウィンドウの画面上での表示位置、ウィンドウの表示サイズ等のウィンドウの領域を表示部４０に表示させるために必要なデータをいう。
【００４５】
さらに、「ウィンドウの状態」のデータは、さらに、「ウィンドウ内の表示内容」のデータに関連付けられている。「ウィンドウ内の表示内容」とは、薬歴、処方の内容、薬剤師の入力した情報等、ウィンドウ内に表示されている情報及びウィンドウを開いたならばウィンドウ内に表示されるべき情報をいう。
なお、図５において、ユーザＩＤに関連付けられた「共通ウィンドウ」とは、例えば、患者受付画面のように複数の患者に係る情報を表示する画面である。
【００４６】
次に、図３に戻り、作業ログ記憶部５０４について説明する。作業ログ記憶部５０４に格納された作業ログは、患者ごとに作成されるものであり、患者を受け付けた時に生成される。作業ログ記憶部５０４には、例えば、図６（３）に示すように、作業名、作業を担当する担当者のユーザＩＤ、作業に応じた入力情報、作業の開始時刻、作業の終了時刻が記憶される。作業が開始された時刻は開始時刻欄に、作業が終了した時刻は終了時刻欄に記録されており、未着手の作業の開始時刻及び未終了の作業の終了時刻の欄には、時刻のデータが記録されず、空（ブランク）となっている。このように、作業ログには最新の作業進捗の情報が記録されている。
【００４７】
以下、図７乃至図９の具体例を参照しつつ、図２の機能的構成を有するセッション制御システム１が実行するセッション制御処理の概要について説明する。
図７乃至図９は、本願発明に係るセッション制御処理の結果を具体的に示す模式図である。
【００４８】
図７は、ログアウト直前の担当者装置２の表示部４０に表示された画面Ｗ０の状態を示している。図７に示す状態において、当該画面Ｗ０を閲覧しているのは、薬剤師「東太郎」であり、ウィンドウＷ１は、担当する患者「東日本一郎」の基礎情報を示す画面、ウィンドウＷ２は、当該患者の薬歴画面、ウィンドウＷ３は、当該患者に対する作業の進捗状況を示す画面である。ここで、ユーザである薬剤師「東太郎」は、「処方監査」の作業を終了したため、キーボードのＦ８キーを押下してログアウト要求を行ったものとする。
受付部３０１は、ログアウト要求を受け付けると、ログアウト制御部３０２にログアウトモード及びログアウト時刻のデータを供給する。ログアウト制御部３０２は、ログアウトモード及びログアウト時刻のデータを記憶制御部３０４に供給し、記憶制御部３０４は、ログアウトモード及びログアウト時刻をログアウトモード記憶部５０１に記憶させる。
また、ログアウト制御部３０２は、セッション情報生成部３０３に対し、ログイン要求を行ったユーザに関するセッション情報を生成するよう通知し、セッション情報生成部３０３により生成されたセッション情報は、記憶制御部３０４によりセッション情報データセット５０３ａに記憶される。
さらに、ログアウト制御部３０２は、記憶制御部３０４から、ログアウトモード及びログアウト時刻の記憶処理及びセッション情報の記憶処理の完了の信号を受信した後、ログアウトの処理を実行する。
【００４９】
次に、薬剤師「東太郎」は、ログアウト時から所定時間内に再び担当者装置２にログインしたとする。前回のセッションにおけるログアウトがＦ８モードであって、所定時間内のログインであるため、記憶制御部３０４は、セッション情報の更新処理を行う。セッション情報取得部３０７は、更新されたセッション情報をセッション情報データセット５０３ａから取得し、ログイン制御部３０６に供給する。表示制御部３０８は、当該セッション情報に基づき、表示部４０に画面を表示させる。図８は、Ｆ８モードによるログアウトをした後に、担当者装置２にログインした場合における表示部４０に表示された画面Ｗ０の状態を示している。
【００５０】
図７と図８とを比較すると、ログアウト直前に表示させていた患者「東日本一郎」の基礎情報を示すウィンドウＷ１、薬歴を示すウィンドウＷ２、患者の進捗状況を示すウィンドウＷ３が、ログイン直後にも表示されていることがわかる。
上述のように、セッション制御システム１によれば、ログアウト直前のセッション情報を保存しておくことにより、次回のログインの際に、当該セッション情報に基づいて、ログアウト直前の画面を再現することができる。
【００５１】
さらに、図７のウィンドウＷ３の表示内容と図８に示すウィンドウＷ３とを比較すると、進捗状況が変化していることがわかる。薬剤師「東太郎」のログアウト直前には、担当者である薬剤師「西花子」は、「患者情報収集」の作業を行っていたが、薬剤師「東太郎」のログイン直後に表示された画面では、薬剤師「西花子」は、「患者情報収集」を終了し、「調剤設計」の作業を行っている。これは、薬剤師「西花子」が「患者情報収集」を終了した時点で作業ログ記憶部５０４に「患者情報収集」の作業の終了時刻が記録され、薬剤師「東太郎」のログイン直後に、記憶制御部３０４が、作業ログ記憶部５０４から作業進捗情報を取得し、セッション情報のウィンドウ内の表示内容のデータを最新の情報に更新したことによる。
このように、ログアウトの時点から、作業の進捗状況が変化した場合であっても、ログイン時の画面には、変化した作業の進捗状況が表示されるため、ユーザは、最新の情報に基づいて作業を進めることができる。
【００５２】
図９は、通常モードによるログアウトをした後に、担当者装置２にログインした場合の表示部４０に表示された画面Ｗ４の状態を示している。画面Ｗ４内には、ログインをしたユーザが担当する患者の情報を示す小さなウィンドウＷ４１、Ｗ４２、Ｗ４３、Ｗ４４が表示されている。ユーザは、前回セッション時に閲覧していた患者「東日本一郎」の薬歴画面ウィンドウを表示させるためには、「東日本一郎」を示すウィンドウＷ４２を指定してマウスをクリックする等の操作をする必要がある。このように、「通常モード」の場合、患者を特定して患者の詳細情報を表示する画面を呼び出すという煩雑な操作が要求される代わりに、個人情報に関わる患者の詳細な情報が、ログイン直後に自動的に表示されることを防止することができる。
【００５３】
［セッション制御システム１の動作］
続いて、図１０及び図１１を参照して、セッション制御システム１の処理について説明する。
図１０は、本発明のセッション制御システムの実行するセッション制御処理の流れの一部（開始からログアウトまで）を示すフローチャートである。
セッション制御処理は、ユーザにより所定の操作がなされたことを契機として開始され、次のような処理が実行される。
【００５４】
ステップＳ１において、受付部３０１は、ログアウトの指示を受け付けたか否かを判定する。ログアウトの指示を受け付けたと判定された場合、ステップＳ１においてＹＥＳであると判定されて、ステップＳ２に進む。ログアウトの指示を受け付けていないと判定された場合、ステップＳ１においてＮＯであると判定されて、処理はステップＳ１に戻る。
【００５５】
ステップＳ２において、ログアウト制御部３０２はログアウトモード及びログアウト時刻のデータを記憶制御部３０４に供給し、記憶制御部３０４は、ログアウトモード及びログアウト時刻をログアウトモード記憶部５０１に記憶させる。
【００５６】
ステップＳ３において、セッション情報生成部３０３は、セッション情報を構成する情報を記憶部５０から収集し、セッション情報を生成する。
【００５７】
ステップＳ４において、記憶制御部３０４は、セッション情報をセッション情報記憶部５０３内のセッション情報データセット５０３ａへ記憶させる。
【００５８】
ステップＳ５において、ログアウト制御部３０２は、記憶制御部３０４が、ログアウトモード及びログアウト時刻をログアウトモード記憶部５０１に記憶する処理、及び、セッション情報をセッション情報記憶部５０３のセッション情報データセット５０３ａに記憶する処理が完了したか否かを判定する。両記憶処理が完了したと判定された場合、ステップＳ５においてＹＥＳであると判定されて、ログアウトの処理を実行する。これに対して、両記憶処理の完了が受信されるまでの間、ステップＳ５においてＮＯであると判定されて、処理はステップＳ４に戻る。
【００５９】
ステップＳ６において、ログアウト制御部３０２は、ログアウトの処理を実行する。
【００６０】
続いて、図１１を参照して処理の流れを説明する。
図１１は、本発明のセッション制御システムの実行するセッション制御処理の流れの一部（ログインから終了まで）を示すフローチャートである。
【００６１】
ステップＳ７において、受付部３０１は、利用者ＩＤとパスワードが入力されたログイン要求を受信したか否かを判定する。
利用者ＩＤとパスワードが入力されたログイン要求を受信すると、ステップＳ６においてＹＥＳであると判定されて、処理はステップＳ８に進む。
これに対して、利用者ＩＤとパスワードが入力されログイン要求が受信されるまでの間、ステップＳ７においてＮＯであると判定されて、処理はステップＳ７に戻る。
【００６２】
ステップＳ８において、認証部３０５は、入力された利用者ＩＤ及びパスワードと認証テーブル記憶部５０２に記載された利用者ＩＤ及びパスワードとが一致するか否かを判定する。
入力された利用者ＩＤ及びパスワードと認証テーブル記憶部５０２に記載された利用者ＩＤ及びパスワードとが一致した場合、ログインは認証され、ステップＳ８においてＹＥＳであると判定されて処理はステップＳ９に進む。
これに対して、入力された利用者ＩＤ及びパスワードと認証テーブル記憶部５０２に記載された利用者ＩＤ及びパスワードとが一致しない場合、ステップＳ８においてＮＯであると判定されて、処理はステップＳ７に戻る。
【００６３】
ステップＳ９において、ログイン制御部３０６は、ログアウトモード記憶部５０１からログアウトモード及びログアウト時刻のデータを取得し、前回のログアウトがＦ８モードであって、かつ所定時間内のログインであるか否かを判定する。Ｆ８モードでない場合又は所定時間を超えている場合、通常のログインの処理を行うべく、セッション制御処理は処理を終了する。
一方、Ｆ８モードであって所定時間内のログインである場合、ステップＳ９においてＹＥＳであると判定されて、処理はステップＳ１０に進む。
【００６４】
ステップＳ１０において、記憶制御部３０４は、作業ログ記憶部５０４から最新の作業進捗情報を取得し、セッション情報データセット５０３ａの「ウィンドウ内の表示内容」を最新の情報に更新し、不要となった患者の「ウィンドウの状態」及び「ウィンドウ内の表示内容」のデータを削除する。
【００６５】
ステップＳ１１において、セッション情報取得部３０７は、セッション情報データセット５０３ａからセッション情報を取得する。
【００６６】
ステップＳ１２において、ログイン制御部３０６は、取得されたセッション情報を表示制御部３０８に供給する。表示制御部３０９は、取得されたセッション情報の内容を反映した画像を表示部４０に表示させる。これにより、セッション制御処理は終了となる。
【００６７】
以上説明したように、第１実施形態のセッション制御システム１によれば、ログアウトモード及びセッション情報をセッション情報記憶部５０３に記憶させておく。ログアウトモードがＦ８モードであり、かつ、所定時間内のログインである場合、記憶制御部３０４は、セッション情報データセット５０３ａのデータの一部又は全部を更新又は削除する。セッション情報取得部３０７は、更新されたセッション情報を取得する。表示制御部３０８は、当該セッション情報に基づき前回のセッションのログアウト直前の画面を表示部４０に表示するよう制御する。このため、ユーザがログインした時に、ログアウト直前にユーザが作業をしていた画面を、表示部４０に自動的に表示させることができる。このため、担当者は、担当する患者の患者ＩＤを指定して前回のセッションにおいて閲覧していたウィンドウを再度呼び出すという煩雑な作業をすることなく、作業を効率的に進めることができる。
【００６８】
また、第１実施形態のセッション制御システム１によれば、記憶制御部３０４は、ログイン直後にセッション情報データセット５０３ａの「ウィンドウ内の表示内容」を最新の内容に更新するため、ログアウト以後に終了した作業進捗の内容が反映され、ユーザは最新の情報に基づいて作業を進めることができる。
【００６９】
また、第１実施形態のセッション制御システム１によれば、記憶制御部３０４は、ユーザの担当する患者の担当作業が全て終了している場合には、当該患者の患者ＩＤ、ウィンドウの状態、ウィンドウ内の表示内容のデータをセッション情報データセット５０３ａから削除する。このため、ユーザがログインした時に、ユーザが作業を開始するにあたり不要な情報（例えば、ユーザである薬剤師Ａがログアウト時に担当していた患者であって、すでに薬剤師Ａの作業は終了している患者の情報）を表示させることを回避することができる。
【００７０】
また、第１実施形態のセッション制御システム１によれば、ログイン制御部３０６は、前回のログアウトがＦ８モードであて、かつ、前回のログアウトから所定時間内にログインされているか否かを判定する。そして、所定時間経過している場合には、通常のログインと同様の処理が実行される。このため、所定時間内にログインをして作業を続けようとしてＦ８モードでログアウトをしたユーザであっても、その後の事情の変化により、作業を他の担当者に任せて休憩や帰宅した場合、所定時間経過後に再度ログインした際には、不要となった前回のセッションの画面を表示させないことができる。つまり、所定時間経過後のログイン時は、受付画面が表示部４０に表示され、不要となった前回のセッションの画面が自動的に表示されることはないため、作業の効率化を図ることができる。
【００７１】
［第２実施形態］
第１実施形態では、記憶部５０は、担当者装置２に備えられていた。したがって、例えば、担当者装置２ａをログアウトした後に、別の担当者装置２ｂにログインする場合のように、ログアウトする担当者装置２の端末とログインする担当者装置２の端末とが異なる場合、直前のセッションにおけるセッション情報は、ログインする担当者装置２の記憶部５０には格納されていないことになる。このため、複数の端末間においてセッション制御処理を実現するためには、ログインをした担当者装置２ｂが、前回のセッションに利用した担当者装置２ａのセッション情報データセット５０３ａからセッション情報を取得するか、あるいは、全ての担当者装置２ａ、・・・、２ｎのセッション情報記憶部５０３を常に最新のデータに同期させておかなければならない。
そこで、第２実施形態では、管理者装置３が記憶部５０を備えるものとして、それぞれの担当者装置２は、管理者装置３の記憶部５０にアクセスすることができる構成をとるものとする。
【００７２】
第２実施形態のセッション制御システム１のネットワーク構成は、第１実施形態のものと同様、即ち、図１に示すとおりであり、ここではその説明は省略する。
図１２は、図１のセッション制御システムの機能的構成のうち、セッション制御を実現するための機能的構成を示す機能ブロック図であって、図３とは異なる例を示す機能ブロック図である。
そこで以下、図１２を参照して、第２実施形態のセッション制御システム１が実行するセッション制御処理について説明する。第１実施形態のものと同様の機能についてはその説明は省略する。
【００７３】
セッション制御システム１の管理者装置３は、記憶部５０と、通信Ｉ／Ｆ６０と、制御部７０と、を備えている。
【００７４】
通信Ｉ／Ｆ６０は、ネットワークを介して、担当者装置２から送信される各種情報の信号を受信し、担当者装置２へ各種情報の信号を送信する。担当者装置２は、当然複数台の端末であってもよい。
【００７５】
記憶部５０は、図３の第１実施形態における担当者装置２の記憶部５０と同様であるので、説明は省略する。
【００７６】
制御部７０は、セッション制御システム１がセッション制御処理を実行するうえで、管理者装置３として必要な各種制御を行う。
【００７７】
第１実施形態では、セッション制御処理のプログラムを実行する制御部３０と記憶部５０は、同一の担当者装置内に構成されるが、第２実施形態においては、セッション制御処理のプログラムを実行する制御部３０は、それぞれの担当者装置２にあり、記憶部５０は、管理者装置３にある点で異なる。しかし、処理の流れは、図１０及び図１１と同様であるため、説明は省略する。
【００７８】
以下、図１３の具体例を参照しつつ、図１２の機能的構成を有するセッション制御システム１が実行するセッション制御処理の概要について説明する。
図１３は、図１２のセッション制御システムによるセッション制御処理結果の概要を示す模式図である。
【００７９】
図１３（１）に示すように、担当者装置２ａの表示部４０ａには、患者の情報を閲覧するための画面Ｗ＿ａ１が表示されている。次に、ユーザは、「Ｆ８」キーを押下することにより、ログアウト要求をする。すると、記憶制御部３０４は、ログアウトモード及びログアウト時刻を管理者装置３のログアウトモード記憶部５０１に記憶させ、セッション情報を管理者装置３のセッション情報記憶部５０３に記憶させる。その後、ログアウト処理が行われると、担当者装置２ａの表示部４０ａの画面上に表示されていた患者の情報を閲覧する画面Ｗ＿ａ１は消え、図１３（２）に示すように、画面Ｗ＿ａ２が表示部４０ａに表示される。
次に、上記のユーザは、担当者装置２ａとは別の端末、即ち、図１３（３）に示す担当者装置２ｂから、ログイン要求の操作を所定時間内に行う。ログインが認証されると、セッション情報取得部３０７は、セッション情報を管理者装置３のセッション情報記憶部５０３から取得し、ログイン制御部３０６は、当該セッション情報に基づいて、担当者装置２ａにログアウト直前に表示されていた画面Ｗ＿ａ１と同じ画面Ｗ＿ｂ２を、図１３（４）に示すように担当者装置２ｂの表示部４０ｂに表示する。
このように、ユーザがある端末をログアウトし、別の端末からログインした場合、ログアウト直前に表示部４０ａに表示されていた画面が、ログイン直後に自動的に表示部４０ｂに表示されるため、ユーザは作業を円滑に進めることができる。
【００８０】
以上説明したように、第２実施形態のセッション制御システム１によれば、ユーザがある担当者装置の端末をログアウトし、別の担当者装置からログインした場合、ログアウト直前に表示部に表示されていた画面が、ログイン直後に自動的に表示部に表示されるため、ユーザは作業を円滑に進めることができ、作業効率を向上させることができる。
【００８１】
また、第２実施形態のセッション制御システム１によれば、記憶部５０は、管理者装置に存在するため、各担当者装置２は、管理者装置３の記憶部５０の情報を参照、記憶することになる。このため、いずれの担当者装置２からログインした場合であっても、常に管理者装置３の記憶部５０に記憶されたログアウトモードやセッション情報を参照すれば、前回のセッションの状況の情報にアクセスすることができる。即ち、ログインされた担当者装置が前回のセッション情報を記憶する担当者装置を探索したり、あるいは、すべての担当者装置のセッション情報記憶部のデータを同期させる処理を行う必要がなく、認証テーブル、セッション情報等のデータを一元的に管理することが可能になる。
【００８２】
以上、本発明のいくつかの実施形態について説明したが、これらの実施形態は、例示に過ぎず、本発明の技術的範囲を限定するものではない。本発明はその他のさまざまな実施形態をとることが可能であり、さらに、本発明の目的を達成できる範囲での、変形、改良、省略、置換等は本発明に含まれるものである。
また、本実施形態に記載された効果は、本発明から生じる最も好適な効果を列挙したに過ぎず、本発明による効果は、本実施形態に記載されたものに限定されるものではない。
【００８３】
例えば、上述の実施形態では、本発明が適用されるセッション制御システム１のログインの際の認証は、ユーザＩＤ及びパスワードによる認証を行ったが、ユーザＩＤのみの認証であっても構わない。また、認証はユーザを識別できる処理であればよく、ユーザＩＤ及びパスワードによる認証の替わりに、指紋等による生体認証を採用しても構わない。
【００８４】
例えば、上述の実施形態では、「ウィンドウの状態」のデータとしてウィンドウの画面の表示位置を例示的に説明したが、表示位置は、ディスプレイの全体の長さに対する比率で特定されてもよい。換言すれば、各担当者装置の表示部がそれぞれ異なる画面サイズや解像度を有するディスプレイであっても、表示制御部がそれぞれのディスプレイのサイズ、解像度に応じた表示を適宜行うようにすればよい。
したがって、担当者装置は、それぞれ異なるサイズや解像度を有するディスプレイを備える汎用パーソナルコンピュータであってもよく、さらには、スマートフォン、タブレット等の携帯情報端末を含むことができる。
【００８５】
例えば、上述の実施形態では、本発明が適用されるセッション制御システム１は、薬局における薬剤提供業務を支援するシステムとして説明したが、担当する患者の作業を担う複数のユーザ（例えば、医師、看護婦、病院従業員等）が利用するような医療機関における医療業務支援システムであっても構わない。
【符号の説明】
【００８６】
１・・・セッション制御システム
２・・・担当者装置
３・・・管理者装置
１０・・・通信Ｉ／Ｆ
２０・・・入力部
３０・・・制御部
４０・・・表示部
５０・・・記憶部
６０・・・通信Ｉ／Ｆ
７０・・・制御部
３０１・・・受付部
３０２・・・ログアウト制御部
３０３・・・セッション情報生成部
３０４・・・記憶制御部
３０５・・・認証部
３０６・・・ログイン制御部
３０７・・・セッション情報取得部
３０８・・・表示制御部
５０１・・・ログアウトモード記憶部
５０２・・・認証テーブル記憶部
５０３・・・セッション情報記憶部
５０４・・・作業ログ記憶部
【要約】
【課題】ログアウトをする直前に表示されていた画面を、ログイン後に自動的に表示させることができるセッション制御システムを提供すること。
【解決手段】セッション制御システム１は、ログアウトの際に、ログアウトの操作の種別、画面上に表示されたウィンドウの状態及びウィンドウ内の表示内容を記憶する記憶制御部３０４と、ログイン要求を受け付けると、認証を行う認証部３０５と、ログアウトモードを判定するログイン制御部３０６と、セッション情報の一部を最新の情報に更新する前記記憶制御部３０４と、セッション情報を取得するセッション情報取得部３０７と、取得されたセッション情報を画面に表示するよう制御する表示制御部３０８と、を備える。
【選択図】図３【図１】
0005427936.tif 000002
【図２】
0005427936.tif 000003
【図３】
0005427936.tif 000004
【図４】
0005427936.tif 000005
【図５】
0005427936.tif 000006
【図６】
0005427936.tif 000007
【図７】
0005427936.tif 000008
【図８】
0005427936.tif 000009
【図９】
0005427936.tif 000010
【図１０】
0005427936.tif 000011
【図１１】
0005427936.tif 000012
【図１２】
0005427936.tif 000013
【図１３】
0005427936.tif 000014